(57)【要約】【課題】サービストレーをスムーズに出し入れできるようにした引出し構造を提供すること。【解決手段】サービストレー５が、引出し本体に設けた左右の固定レール３，３によってそれぞれ案内支持される２つの案内片５ａ，５ａと、引出し４の上部に設けた左右の摺動案内部４ａ，４ａにそれぞれ嵌合する２つの摺動嵌合片５ｂ，５ｂを備えた構成とすることで、サービストレー５の出し入れ時に、サービストレー５が引出し本体の固定レール３又は引出しの摺動案内部４ａ，４ａの何れかに必ず案内支持されるので安定した状態で出し入れすることができる。【選択図】  図１
2004275398.tif 000002
【特許請求の範囲】
【請求項１】
引出しを引き出した後で、引出し上面上に載置できる位置まで引き出すことが可能なサービストレーを備えた引出し構造であって、前記サービストレーは引出し本体に設けた左右の固定レールによってそれぞれ案内支持される２つの案内片と、引出し上部に設けた左右の摺動案内部にそれぞれ嵌合する２つの摺動嵌合片を備えていることを特徴とするサービストレーを備えた引出し構造。
【請求項２】
前記固定レールは先端部が部分的に前方に下降傾斜している請求項１に記載のサービストレーを備えた引出し構造。
【請求項３】
前記左右にそれぞれ形成した案内片と摺動嵌合片はサービストレーの左右端に設けられ、両片が一体化した枠部材として構成されている請求項２に記載のサービストレーを備えた引出し構造。
【請求項４】
前記請求項１ないし３の何れかに記載のサービストレーを備えた引出し構造を有する家具。
【発明の詳細な説明】
【０００１】
【発明の属する技術分野】
本発明は、引出しを引き出した後で、引出し上面上に載置できる位置まで引き出すことが可能なサービストレーを備えた引出し構造に関する。
【０００２】
【従来の技術】
従来、システムキッチン等において、引出しとサービストレーとしてのスライド式テーブルとを備え、調理作業性の効率を高めたものが知られている（特許文献１参照）。図５は、前記特許文献１に記載のシステムキッチンの一部である調理キャビネットの斜視図であり、引き出し０１を備えた調理用フロアキャビネット０２の上部に枠体０３が取付けられ、この枠体０３の内部にスライドレール０４によって前方に引き出し可能なスライド式テーブル０５が収納されている。このようなスライド式テーブル０５は調理作業空間が広がるので便利であるが、引き出したときに先端側が何も支持されていないために不安定であった。
【０００３】
このような状況を回避するために、サービストレーを引出しの上に載置するタイプのものも開発されている（特許文献２参照）。図６は前記特許文献２に記載の引出し付き家具の作動説明図であり、図６（ａ）の引出し０６の収納状態から、図６（ｂ）に示すように引出し０６だけが単独で引き出され、引出し内の物を取り出した後に、図６（ｃ）に示すように、サービストレーに相当するプレート０７が取っ手０８を介して引出し０６の上面に載置可能なように引き出される。このプレート０７は、前方が引き出し０６に形成したレールに支持され、後方は側板０９に突設したストッパーピン０１０に係止している。
【０００４】
【特許文献１】
特開平１１−２２５８３４号公報（段落００１５−００１８、図２）
【特許文献２】
特開平１１−１７８６６３号公報（段落００１０、図５）
【０００５】
【発明が解決しようとする課題】
しかしながら、上記特許文献２に記載のものは、プレート０７を前方に引き出す場合に、プレート０７後部に設けたストッパー０１１がストッパーピン０１０を乗り越えなくてはならず、また逆に、プレート０７を前方に引き出した後にもとの収納位置に戻す場合も、再びストッパー０１１がストッパーピン０１０を乗り越える必要があり、プレート０７の移動に円滑性を欠いていた。
【０００６】
本発明は、このような状況に鑑みてなされたものであり、サービストレーをスムーズに出し入れできるようにした引出し構造を提供することを目的とするものである。
【０００７】
【課題を解決するための手段】
上記課題を解決するために、本発明のサービストレーを備えた引出し構造は、引出しを引き出した後で、引出し上面上に載置できる位置まで引き出すことが可能なサービストレーを備えた引出し構造であって、前記サービストレーは引出し本体に設けた左右の固定レールによってそれぞれ案内支持される２つの案内片と、引出し上部に設けた左右の摺動案内部にそれぞれ嵌合する２つの摺動嵌合片を備えていることを特徴としている。
この特徴によれば、サービストレーが引出し本体の固定レールか引出しの摺動案内部の何れかに必ず案内支持されるので、安定した状態で出し入れすることができる。
【０００８】
本発明のサービストレーを備えた引出し構造において、前記固定レールは先端部が部分的に前方に下降傾斜していることが好ましい。
このようにすれば、サービストレーを固定レールから引き出したり、逆に引出しの摺動案内部から引出し本体側に収納するときに、引出し側或いは本体側に容易に乗り移ることができる。
【０００９】
本発明のサービストレーを備えた引出し構造において、前記左右にそれぞれ形成した案内片と摺動嵌合片はサービストレーの左右端に設けられ、両片が一体化した枠部材として構成されていることが好ましい。
このようにすれば、案内片と摺動嵌合片が一体化した枠部材として構成されているので、簡素で堅牢な摺動案内部が構築できる。
【００１０】
本発明の家具は、前記請求項２ないし３の何れかに記載のサービストレーを備えた家具であることが好ましい。
このようにすれば、上記のサービストレーをシステムキッチンやキャビネット等の家具にも適用できる。
【００１１】
【発明の実施の形態】
本発明の実施形態について図面を参照して説明する。
【００１２】
図１は本発明の一実施形態に係るサービストレーを備えた引出しを引き出した状態を示す部分斜視図、図２は引出し上にサービストレーが載置された状態を示す図１の部分拡大斜視図、図３は引出し本体を正面から視た断面図、図４の（ａ）は引出し及びサービストレーが収容部内に収容されている状態を示す説明図、（ｂ）は収容部内から引出しのみが引き出された状態を示す説明図であり、（ｃ）は収容部内から引出し上にサービストレーを引き出した状態を示す説明図である。
【００１３】
本発明の引出し構造は、例えば、システムキッチンやキャビネット等の家具の収容部内部と引出し上面上との間でサービストレーを出し入れ可能に設けた構造であって、図１〜図３に示すように構成されている。
【００１４】
すなわち、図３に示すように、符号１は上面が作業台などとして使用される天板２を有するキャビネットであって、このキャビネット１の天板２下面に形成される収容部には引出し４が、引出し本体を構成する両側板１４ａ，１４ｂに取着された一対のブラケット１８，１８にローラ２０を介して前後に移動可能に案内支持されている。
【００１５】
更に、天板２の下面には、サービストレー５を支持案内する断面コ字形に形成された一対の左右の固定レール３，３が開口側を向き合わせて固設されている。そして、この固定レール３，３は、サービストレー５両側面に取付けられた２つの案内片５ａ，５ａを案内支持するための下片３ａ，３ａと、それらの上部に対向配置される上片３ｂ，３ｂとから成り、両下片３ａ，３ａの先端部には前方に下降傾斜する傾斜面３ｃ（図４に片側のみ図示）が形成されている。
【００１６】
また、サービストレー５の左右端には、案内片５ａ，５ａと対抗する位置に２つの摺動嵌合片５ｂ，５ｂが設けられ、これらは案内片５ａと摺動嵌合片５ｂとで一体化した枠部材を構成している。この摺動嵌合片５ｂ，５ｂの下部は、引出し４の上部に形成した摺動案内部４ａ，４ａ上に嵌合して前後方向に摺動可能に案内支持される円弧状の嵌合溝が形成されている。
【００１７】
従って、図４の（ａ）に示されるように、引出し４がキャビネット１の収容部内部に収容された状態では、サービストレー５は両案内片５ａ，５ａは固定レール３，３の下片３ａ，３ａ上面に支持されており、摺動嵌合片５ｂ，５ｂの下面は、両摺動案内部４ａ，４ａ上から離反した状態となっている。
【００１８】
図４の（ｂ）に示すように、引出し４が全開するまで手前に引き出された状態では、サービストレー５は両案内片５ａ，５ａが固定レール３，３の下片３ａ，３ａ上面に支持された状態で、天板２下面の収容部内に収容されている。
【００１９】
サービストレー５を手前に引き出すことでサービストレー５の両案内片５ａ，５ａは固定レール３，３の下片３ａ，３ａに案内されて引き出される。下辺３ａ，３ａは前方に向かって先端部側が傾斜面３ｃにより下降傾斜しているので、摺動嵌合片５ｂ，５ｂ下面の円弧状の嵌合溝が引出し４内の摺動案内部４ａ，４ａ上にスムーズに乗り移ることができる。サービストレー５が完全に引出し４に載置されれば、図４の（ｃ）に示すように、サービストレー５は摺動案内部４ａ，４ａ上に案内支持されて引出し４上を自由に移動することができる。
【００２０】
サービストレー５が不必要の場合、または引出し４の内部に品物を出し入れする場合はサービストレー５を天板２下面の収容部内に戻すことも可能である。このときも案内片５ａ，５ａが傾斜面３ｃを通過するので、スムーズな乗り移りが可能である。
【００２１】
従って、上記のように構成された引出し構造によれば、サービストレー５が、引出し本体を構成する側板１４ａ，１４ａに設けた左右の固定レール３，３によってそれぞれ案内支持される２つの案内片５ａ，５ａと、引出し４の上部に設けた左右の摺動案内部４ａ，４ａにそれぞれ嵌合する２つの摺動嵌合片５ｂ，５ｂを備えた構成とすることで、サービストレー５の出し入れ時には、固定レール３，３又は引出し４の摺動案内部４ａ，４ａの何れかに必ず案内支持されるので安定した状態で出し入れすることができる。
【００２２】
また、固定レール３，３は、先端部が部分的に前方に下降傾斜する傾斜面３ｃを有しているので、サービストレー５を固定レール３，３から引き出したり、逆に引出しの摺動案内部４ａ，４ａから引出し本体側に収納するときに、引出し４側、或いはキャビネット１の天板２下面に形成される収容部に容易に乗り移ることができる。
【００２３】
更に、左右にそれぞれ形成した案内片５ａ，５ａと摺動嵌合片５ｂ，５ｂがサービストレー５の左右端に設けられ、両片が一体化した枠部材として構成されているので、簡素で堅牢な摺動案内部を構築することができる。
【００２４】
尚、上記実施形態では、サービストレー５を固定レールから出し入れする際に、引出し本体側或いは天板２下面の固定レール３，３に容易に乗り移ることができるように、両下辺３ａ，３ａの先端部に前方に下降傾斜する傾斜面３ｃを形成した例に付き説明したが、案内片５ａ，５ａの後端部下面に傾斜面を形成することができる。
【００２５】
【発明の効果】
本発明は以下の効果を奏する。
【００２６】
（ａ）請求項１項の発明によれば、サービストレーが引出し本体の固定レールか引出しの摺動案内部の何れかに必ず案内支持されるので、安定した状態で出し入れすることができる。
【００２７】
（ｂ）請求項２項の発明によれば、サービストレーを固定レールから引き出したり、逆に引出しの摺動案内部から引出し本体側に収納するときに、引出し側或いは本体側に容易に乗り移ることができる。
【００２８】
（ｃ）請求項３項の発明によれば、案内片と摺動嵌合片が一体化した枠部材として構成されているので、簡素で堅牢な摺動案内部が構築できる。
【００２９】
（ｄ）請求項４項の発明によれば、上記のサービストレーをシステムキッチンやキャビネット等の家具にも適用できる。
【図面の簡単な説明】
【図１】本発明の一実施形態に係る内引出しを備えた引出しを引き出した状態を示す部分斜視図である。
【図２】引出し上にサービストレーが載置された状態を示す図１の部分拡大斜視図である。
【図３】引出し本体を正面から視た断面図。
【図４】（ａ）は引出し及びサービストレーが収容部内に収容されている状態を示す説明図、（ｂ）は収容部内から引出しのみが引き出された状態を示す説明図であり、（ｃ）は収容部内から引出し上にサービストレーを引き出した状態を示す説明図である
【図５】従来のサービストレーを備えた引出しを用いた調理キャビネットの斜視図である。
【図６】（ａ）〜（ｃ）は従来のサービストレーを備えた引出し付き家具の作動説明図である。
【符号の説明】
１                      キャビネット
２                      天板
３                      固定レール
３ａ                    下片
３ｂ                    上辺
３ｃ                    傾斜面
４                      引出し
４ａ，４ｂ              摺動案内部
５                      サービストレー
５ａ                    案内片
５ｂ                    摺動嵌合片
１４ａ                  側板（引出し本体）
１８                    ブラケット
２０                    ローラ
【図１】
2004275398.tif 000003
【図２】
2004275398.tif 000004
【図３】
2004275398.tif 000005
【図４】
2004275398.tif 000006
【図５】
2004275398.tif 000007
【図６】
2004275398.tif 000008